(57)【要約】  コンパクトなＵＶＢ光治療機器であって、内包され組み込まれた光源と、タイマーユニットを伴う直列接続されたパワースイッチと、タイマーに接続された少なくとも１つの光源、たとえば波長が３１０ｎｍで、光パワーが０．６から１ｍＷの放射を発するＬＥＤとを含み、光源を覆う取外し可能なスペーサーが、同光源の近傍に固定されている。
2018534964.tif 000002
【特許請求の範囲】
【請求項１】
コンパクトなＵＶＢ光治療機器、とりわけ、白斑、アトピー性皮膚炎および乾癬の治療を意図したコンパクトなＵＶＢ光治療機器であって、
内包され組み込まれた光源（１）、
タイマーユニット（６）を伴う直列接続されたパワースイッチ（５）、および
少なくとも１つの光源（２）、
を含み、
当該機器の電子部品はワイヤ（４）と接続されており、
波長が３１０ｎｍで、半値全幅が最大１０ｎｍで、光パワーが０．６から１ｍＷの放射を発するＬＥＤ（２）が、前記光源であり、
前記光源を覆う取外し可能なスペーサー（３）が、前記光源の近傍に固定されている、
ことを特徴とするコンパクトなＵＶＢ光治療機器。
【請求項２】
ダイオードの合計パワーが０．８ｍＷであることを特徴とする、請求項１記載のコンパクトなＵＶＢ光治療機器。
【請求項３】
前記スペーサーの高さが、前記光源近傍の覆いの表面から前記スペーサーの外表面まで計測して、少なくとも０．５ｃｍの高さであることを特徴とする、請求項１または２記載のコンパクトなＵＶＢ光治療機器。
【請求項４】
前記光源を制御するタイマーが、０．５秒の精度で、好ましくは３００または６００秒に亘って、ＬＥＤ照明期間を設定することを可能にしていることを特徴とする、請求項１から３いずれか１項記載のコンパクトなＵＶＢ光治療機器。
【請求項５】
追加の可視光ＬＥＤ、好ましくは青色ＬＥＤが、ＵＶＢ光源の近くに取り付けられていることを特徴とする、請求項１から４いずれか１項記載のコンパクトなＵＶＢ光治療機器。
【請求項６】
観察用の前記ダイオードが、青色光を発することを特徴とする、請求項５記載のコンパクトなＵＶＢ光治療機器。
【請求項７】
追加のバッテリー充電または機器状態ダイオードが、電力供給源およびパワースイッチ回路に接続されていることを特徴とする、請求項１から５いずれか１項記載のコンパクトなＵＶＢ光治療機器。
【請求項８】
機器の回路が、ＵＶＢダイオードと、照射領域の観察を可能とする可視光ダイオードとに、独立した電力供給を提供するように、当該機器のパワースイッチが２つとされていることを特徴とする、請求項１から７いずれか１項記載のコンパクトなＵＶＢ光治療機器。
【請求項９】
当該機器が、内蔵バッテリー、または少なくとも１Ａの充電器から、電力供給を受けていることを特徴とする、請求項１から８いずれか１項記載のコンパクトなＵＶＢ光治療機器。
【発明の詳細な説明】
【技術分野】
【０００１】
本発明の主題は、コンパクトなＵＶＢ光治療機器であり、とりわけ、白斑、アトピー性皮膚炎および乾癬の治療を意図したコンパクトなＵＶＢ光治療機器である。
【背景技術】
【０００２】
フォトセラピーとも呼ばれる光治療は、医学および薬学の急速に発展している分野である。現代のフォトセラピーは、可視光周波数の広範なスペクトルを適用するのに加えて、紫外域および赤外域の光も適用する。フォトセラピーによる乾癬、アトピー性皮膚炎および白斑の治療法は、ＵＶ放射源を適用する。様々な情報源によれば、世界的な白斑の発生率は全人口の１−２％であり、人口の約３０％がアトピー性皮膚炎に苦しんでおり、乾癬は人口の２−４％にとっての脅威である。現在、上記の疾患を治療するのに適したものとして、３タイプのＵＶ放射が科学的に区別されており、それら３タイプとは、ＰＵＶＡ治療、ブロードバンドＵＶＢ、およびナローバンドＵＶＢである。
【０００３】
ＰＵＶＡ法は、３４０−４００ｎｍの波長帯にあるタイプＡの紫外線の適用を想定している。ＵＶＡ放射は、光感作薬の投与を伴って行われることが多く、かかる光感作薬の最も一般的なものはソラレン（特定の植物中で見つかる天然化合物）である。別の可能な治療法では、薬剤は投与されず、フォトセラピーの量が増大させられる。この方法の適用は、専門の医療機関で、週３回行われなくてはならない。ＵＶＡ放射は太陽から我々に到達するので、人間の皮膚はＵＶＡ放射に対しては非常に耐性が高く、そのためこの治療が所望の結果をもたらすには、薬剤の補助を受ける治療または増大させられた放射パワーが必要である。ＵＶＡ放射はガラスを通過し体内に浸透し得ることから、放射から除外される必要のある身体部分の適切なカバーおよび特殊な保護眼鏡が必要となる。
【０００４】
ブロードバンド法は、２９０−３１５ｎｍの放射を適用する。ＵＶＢ放射は、人間の皮膚を簡単には通過せず、ＵＶＡへの脅威ほど多くの脅威は構成しないので、ＵＶＢ放射は一般的により安全だと考えられている。加えて、当該放射の増大させられたエネルギー容量のために、より短い露光時間を適用することが可能であり、それによりＵＶ放射の悪影響への患者の曝露が軽減させられる。この方法は、補助的な薬剤治療を必要としていた。疾患の深刻さによっては、患者は週２−５回の放射を受けるべきこととなる。市場において入手できる即時利用可能な解決策もあり、それにより、自宅で治療を行うことが可能となる。そのような治療の１つの欠点は、人間の健康に有害な波長、すなわち２９０ｎｍより大きい波長を発生させるために、紅斑を生じさせ得る点である。
【０００５】
ナローバンドＵＶＢ治療は、最新開発の治療であり、美容および医療用途において極めて有望な結果をもたらしている。この手法では、医療用途において最も有効であるという理由で、３１１−３１２ｎｍのＵＶＢ光線が用いられる。ナローバンド光源の利点の１つは、２９０ｎｍ未満の放射が存在しないという点である。しかしながら、この方法では、薬剤の投与が必要であった。この方法は、ブロードバンドＵＶＢ法と比較して、所望の結果をもたらすという点においてより効率的であり、より効果的である。この方法は、身体の特定の部分に局所的に適用することもできるし、全身に適用することもできる。
【０００６】
特許文献１には、特定の身体部分が３１０ｎｍのＵＶ光線に露出される光治療法が記載されている。治療の持続時間に亘って、放射量が２０％増加させられる。その後、患者は幹細胞を含む溶液を１ミリリットル受容し、合計エネルギー８０ｍＪ／ｃｍ2の光から開始して、光治療を継続する。２０１１年にロシアで登録された特許文献２の解決策は、ＵＶＡおよびＵＶＢ光による皮膚の照射部位内にあるニキビを、治療する方法を提示する。光治療に加えて、患者は、２１−２８日間に亘り１０ｍｇのリプトノーム（ｌｉｐｔｏｎｏｒｍ）を受容する。特許文献３による機器は、ベースユニットと、それに取り付けられた少なくとも１つのヘッドユニットとを含む。機器の複数の特定の要素が、種々の異なるＵＶ光治療、ＬＬＬＴ、超音波治療、電気刺激療法、凍結療法、および多様なダイオードを用いた熱療法に合うように調整される。多機能光治療機器は、特許文献４からも知られており、この特許文献４は、赤外光またはＵＶ光を発する複数のＬＥＤダイオードが装備された、少なくとも１つの照射ヘッドユニットを搭載した機器を紹介している。特許文献５は、近赤外域に対応する波長の光を発する、多数のＬＥＤダイオードを含むマトリックスを包含した機器を提案している。
【先行技術文献】
【特許文献】
【０００７】
【特許文献１】ウクライナ国実用新案公開第９９０６８号明細書
【特許文献２】ロシア国特許出願公開第２４７２５４１号明細書
【特許文献３】欧州特許出願公開第１４２０７４１号明細書
【特許文献４】中国特許出願公開第１０３８０１００７号明細書
【特許文献５】米国特許第６４７１７１６号明細書
【発明の概要】
【課題を解決するための手段】
【０００８】
本発明に係るコンパクトなＵＶＢ光治療機器、とりわけ、白斑、アトピー性皮膚炎および乾癬の治療を意図したコンパクトなＵＶＢ光治療機器は、他の利用可能な方法に関連するような制約を何ら有さない。開発された解決策は、美容サロンや医療機関において複雑な手順を実行する必要なしに、個々の顧客により使用されるのに適している。本発明に係る機器は、扱い易くかつ小型で、したがって他の作業をしながら使用することができる。さらに、本発明に係る機器は、より高い頻度での使用に適している。より低い光濃度での頻繁な治療は、高パワーの照射セッションを少ない回数行うよりも、効果が高い。本発明に係る機器は、３１０ｎｍの放射を発する少なくとも１つのＬＥＤと、照射スポットからの適切な距離を維持し、かつ埃や不純物からＬＥＤを保護するための、ＵＶＢ光線に対し透明なカバーおよびスペーサーと、それに加えて複数の通知用ＬＥＤと、セッション時間を数えるタイマーと、最低１Ａの充電器と、パワースイッチと、他の２つのスイッチとを含む。通知用ダイオードは、機器が充電中である際に点灯し、機器が完全充電済み状態になった際に消灯する１つの赤色ダイオードと、ＵＶダイオードと共に点灯する２つの青色ダイオードと、パワーがオン状態である際に連続点灯する、またはバッテリー残量が少ない際に１秒ごとに点滅する、１つの緑色ダイオードとを含む。
【０００９】
コンパクトなＵＶＢ光治療機器、とりわけ、白斑、アトピー性皮膚炎および乾癬の治療を意図したコンパクトなＵＶＢ光治療機器は、内包され組み込まれた光源と、タイマーユニットを伴う直列接続されたパワースイッチと、タイマーに接続された、波長が３１０ｎｍで光パワーが０．６から１ｍＷの少なくとも１つの光源とを含み、上記の光源を覆う取外し可能なスペーサーが、同光源の近傍に固定されており、スペーサーの高さは、上記の光源近傍の覆いの表面からスペーサーの外表面まで計測して、少なくとも０．５ｃｍの高さである。一方、ＬＥＤダイオードが光源であり、タイマーユニットは、少なくとも０．５秒の精度で、ＬＥＤ照明期間を設定することを可能とする。
【００１０】
１つの有利な実施形態では、少なくとも１つの追加の可視光ＬＥＤ、好ましくは青色ＬＥＤが、ＵＶＢ光源の近くに取り付けられ、照射領域の観察を可能にする。１つの有利な実施形態では、少なくとも１つの追加のバッテリー充電または機器状態ダイオードが、電力供給源およびパワースイッチ回路に接続される。
【００１１】
１つの有利な実施形態では、機器の回路が、ＵＶＢダイオードと、照射領域の観察を可能とする可視光ダイオードとに、独立した電力供給を提供するように、機器のパワースイッチが２つとされる。
【００１２】
１つの有利な実施形態では、機器は、内蔵バッテリー、または少なくとも１Ａの充電器から、電力供給を受ける。
【図面の簡単な説明】
【００１３】
【図１】本発明に係るコンパクトなＵＶＢ光治療機器のレイアウトを図解した図
【図２】本発明に係るコンパクトなＵＶＢ光治療機器の断面図
【発明を実施するための形態】
【００１４】
本発明に係るコンパクトなＵＶＢ光治療機器が図面に示されており、ここで図１は、本発明に係る機器のレイアウトを図解した図であり、図２は、本発明に係る機器の断面図である。
【実施例１】
【００１５】
コンパクトなＵＶＢ光治療機器、とりわけ、白斑、アトピー性皮膚炎および乾癬の治療を意図したコンパクトなＵＶＢ光治療機器は、内包され組み込まれた光源１と、タイマーユニット６を伴う直列接続されたパワースイッチ５と、タイマー６に接続された少なくとも１つの光源−この例では波長が３１０ｎｍで光パワーが０．８ｍＷ以上の放射を発するＬＥＤ２とを含み、上記の光源を覆う取外し可能なスペーサー３が、同光源の近傍に固定されており、スペーサーの高さは、上記の光源近傍の覆いの表面からスペーサーの外表面まで計測して、１ｃｍの高さである。タイマー６は、６００秒に亘って、ＬＥＤ照明期間を設定することを可能とする。
【００１６】
１つの追加の可視光ＬＥＤ、好ましくは青色ＬＥＤが、ＵＶＢ光源の近くに取り付けられており、照射領域の観察を可能にする。１つの追加のバッテリー充電または機器状態ダイオードが、電力供給源およびパワースイッチ回路に接続されている。
【００１７】
機器の回路が、ＵＶＢダイオードと、照射領域の観察を可能とする可視光ダイオードとに、独立した電力供給を提供するように、機器のパワースイッチが２つとされている。
【００１８】
機器は、内蔵バッテリー、または少なくとも１Ａの充電器から、電力供給を受けている。
【実施例２】
【００１９】
コンパクトなＵＶＢ光治療機器、とりわけ、白斑、アトピー性皮膚炎および乾癬の治療を意図したコンパクトなＵＶＢ光治療機器は、内包され組み込まれた光源１と、タイマーユニット６を伴う直列接続されたパワースイッチ５と、タイマー６に接続された少なくとも１つの光源−この例では波長が３１０ｎｍで光パワーが０．８ｍＷ以上の放射を発するＬＥＤ２とを含み、上記の光源を覆う取外し可能なスペーサー３が、同光源の近傍に固定されており、スペーサーの高さは、上記の光源近傍の覆いの表面からスペーサーの外表面まで計測して、少なくとも０．５ｃｍの高さである。タイマー６は、６００秒に亘って、ＬＥＤ照明期間を設定することを可能とする。
【００２０】
１つの追加の可視光ＬＥＤ、好ましくは青色ＬＥＤが、ＵＶＢ光源の近くに取り付けられており、照射領域の観察を可能にする。１つの追加のバッテリー充電または機器状態ダイオードが、電力供給源およびパワースイッチ回路に接続されている。
【００２１】
機器の回路が、ＵＶＢダイオードと、照射領域の観察を可能とする可視光ダイオードとに、独立した電力供給を提供するように、機器のパワースイッチが２つとされている。
【００２２】
機器は、内蔵バッテリー、または少なくとも１Ａの充電器から、電力供給を受けている。
【実施例３】
【００２３】
コンパクトなＵＶＢ光治療機器、とりわけ、白斑、アトピー性皮膚炎および乾癬の治療を意図したコンパクトなＵＶＢ光治療機器は、内包され組み込まれた光源１と、タイマーユニット６を伴う直列接続されたパワースイッチ５と、タイマー６に接続された少なくとも１つの光源−この例では波長が３１０ｎｍで光パワーが０．８ｍＷ以上の放射を発するＬＥＤ２とを含み、上記の光源を覆う取外し可能なスペーサー３が、同光源の近傍に固定されており、スペーサーの高さは、上記の光源近傍の覆いの表面からスペーサーの外表面まで計測して、少なくとも１ｃｍの高さである。タイマー６は、３００秒に亘って、ＬＥＤ照明期間を設定することを可能とする。
【００２４】
１つの追加の可視光ＬＥＤ、好ましくは青色ＬＥＤが、ＵＶＢ光源の近くに取り付けられており、照射領域の観察を可能にする。１つの追加のバッテリー充電または機器状態ダイオードが、電力供給源およびパワースイッチ回路に接続されている。
【００２５】
機器の回路が、ＵＶＢダイオードと、照射領域の観察を可能とする可視光ダイオードとに、独立した電力供給を提供するように、機器のパワースイッチが２つとされている。
【００２６】
機器は、内蔵バッテリー、または少なくとも１Ａの充電器から、電力供給を受けている。
【実施例４】
【００２７】
コンパクトなＵＶＢ光治療機器、とりわけ、白斑、アトピー性皮膚炎および乾癬の治療を意図したコンパクトなＵＶＢ光治療機器は、内包され組み込まれた光源１と、タイマーユニット６を伴う直列接続されたパワースイッチ５と、タイマー６に接続された少なくとも１つの光源−この例では波長が３１０ｎｍで光パワーが０．８ｍＷ以上の放射を発するＬＥＤ２とを含み、上記の光源を覆う取外し可能なスペーサー３が、同光源の近傍に固定されており、スペーサーの高さは、上記の光源近傍の覆いの表面からスペーサーの外表面まで計測して、少なくとも０．５ｃｍの高さである。タイマー６は、６００秒に亘って、ＬＥＤ照明期間を設定することを可能とする。１つの追加の可視光ＬＥＤ、好ましくは青色ＬＥＤが、ＵＶＢ光源の近くに取り付けられており、照射領域の観察を可能にする。１つの追加のバッテリー充電または機器状態ダイオードが、電力供給源およびパワースイッチ回路に接続されている。
【００２８】
機器の回路が、ＵＶＢダイオードと、照射領域の観察を可能とする可視光ダイオードとに、独立した電力供給を提供するように、機器のパワースイッチが２つとされている。
【００２９】
機器は、内蔵バッテリー、または少なくとも１Ａの充電器から、電力供給を受けている。
【符号の説明】
【００３０】
１  光源
２  ＬＥＤ
３  スペーサー
４  ワイヤ
５  パワースイッチ
６  タイマー
【図１】
2018534964.tif 000003
【図２】
2018534964.tif 000004
【国際調査報告】
2018534964.tif 000005
2018534964.tif 000006